(57)【要約】【課題】前記回線を共有する他の通信端末装置の内部回路構成や、自装置の実際の設置状況に応じた最適な検出条件でのオン／オンフック状態の検出を行うことができる通信端末装置を提供すること。【解決手段】他端末オフフック認識手段により、所定の操作入力が検出された後に、回線電圧測定手段により測定された電圧値を基準オフフック電圧値として基準オフフック電圧値記憶手段に設定・記憶し、その基準オフフック電圧値と、前記回線電圧測定手段に前記回線の直流電圧を測定させて得られた電圧値とがほぼ等しい場合に、前記回線はオフフック状態であると検出することを特徴とする。【選択図】    図２
2004289315.tif 000002
【特許請求の範囲】
【請求項１】
公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、基準オフフック電圧値を記憶する基準オフフック電圧値記憶手段と、前記他の通信端末装置をオフフックするよう指示する所定の表示を行う他端末オフフック指示手段と、その他端末オフフック指示手段による当該所定の表示の後、前記他の通信端末装置が今オフフックされていることを示す所定の操作入力を検出する他端末オフフック認識手段と、その他端末オフフック認識手段により、その所定の操作入力が検出された後に、前記回線電圧測定手段により測定された電圧値を前記基準オフフック電圧値として前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とがほぼ等しい場合に、前記回線はオフフック状態であると検出するオン／オフフック状態検出手段とを備え、そのオン／オフフック状態検出手段の検出結果に応じて前記所定の動作を行うことを特徴とする通信端末装置。
【請求項２】
公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、基準オフフック電圧値を記憶する基準オフフック電圧値記憶手段と、自装置が設置され得る複数の地域をそれぞれ識別するための各設置地域識別情報と、それら各設置地域に適合する基準オフフック電圧値とを対応付けて予め記憶する地域別基準電圧値記憶手段と、所定の操作入力により指定された、自装置が実際に設置された地域に対応する前記設置地域識別情報に前記地域別基準オフフック電圧記憶手段において対応する基準オフフック電圧値を、前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とがほぼ等しい場合に、前記回線はオフフック状態であると検出するオン／オフフック状態検出手段とを備え、そのオン／オフフック状態検出手段の検出結果に応じて前記所定の動作を行うことを特徴とする通信端末装置。
【請求項３】
公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、基準オンフック電圧値を記憶する基準オンフック電圧値記憶手段と、前記回線電圧測定手段に所定の複数回前記回線の直流電圧を測定させて得られた各電圧値のうちの最低の電圧値を前記基準オンフック電圧値として前記基準オンフック電圧値記憶手段に設定・記憶させる基準オンフック電圧値設定手段と、前記基準オンフック電圧値記憶手段に記憶された基準オンフック電圧値よりも、前記回線電圧測定手段により測定される電圧値が低い場合に、前記回線はオフフック状態であると検出するオン／オフフック状態検出手段とを備え、そのオン／オフフック状態検出手段の検出結果に応じて前記所定の動作を行うことを特徴とする通信端末装置。
【請求項４】
前記基準オンフック電圧値設定手段は、前記回線電圧測定手段に所定の複数回前記回線の直流電圧を測定させて得られた各電圧値のうちの最大値と最低値との差が一定幅以上の場合には、前記回線電圧測定手段に所定の複数回前記回線の直流電圧を測定させて得られた各電圧値のうちの最大値と最低値との差が一定幅以下になるまで、同様の測定を繰り返し行い、前記回線電圧測定手段に所定の複数回前記回線の直流電圧を測定させて得られた各電圧値のうちの最大値と最低値との差が一定幅以下になったときの当該最低の電圧値を前記基準オンフック電圧値として前記基準オンフック電圧値記憶手段に設定・記憶させるものであることを特徴とする請求項３に記載の通信端末装置。
【請求項５】
前記基準オンフック電圧値設定手段は、前記回線電圧測定手段に所定の複数回前記回線の直流電圧を測定させて得られた各電圧値のうちの最低の電圧値を得る動作を定期的に行い、その最低の電圧値が、前記基準オンフック電圧値記憶手段に記憶されている前記基準オンフック電圧値よりも大きい場合には当該最低の電圧値を新たな基準オンフック電圧値として前記前記基準オンフック電圧値記憶手段に設定・記憶させるものであることを特徴とする請求項３または４のいずれかに記載の通信端末装置。
【請求項６】
公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、前記回線上のダイヤルトーンの有無を検出するダイヤルトーン検出手段と、基準オフフック電圧値を記憶する基準オフフック電圧値記憶手段と、基準オンフック電圧値を記憶する基準オンフック電圧値記憶手段と、前記回線電圧測定手段に前記回線の直流電圧を測定させて電圧値を得た直後にオフフックすると共に前記ダイヤルトーン検出手段による検出により前記回線上のダイヤルトーンの有無を確認し、ダイヤルトーンが前記回線上にある場合には、当該電圧値を前記基準オンフック電圧値として前記基準オンフック電圧値記憶手段に設定・記憶させ、ダイヤルトーンが前記回線上にない場合には、当該電圧値を前記基準オフフック電圧値として前記基準オフフック電圧値記憶手段に設定・記憶させる基準オン／オフフック電圧値設定手段と、前記基準オンフック電圧値記憶手段に記憶された基準オンフック電圧値よりも、前記回線電圧測定手段に前記回線の直流電圧を測定させて得られた電圧値が低い場合、または、前記基準オフフック電圧値記憶手段に記憶された基準オフフック電圧値と、前記回線電圧測定手段に前記回線の直流電圧を測定させて得られた電圧値とがほぼ等しい場合に、前記回線はオフフック状態であると検出するオン／オフフック状態検出手段とを備え、そのオン／オフフック状態検出手段の検出結果に応じて前記所定の動作を行うことを特徴とする通信端末装置。
【発明の詳細な説明】
【０００１】
【発明の属する技術分野】
本発明は、ファクシミリ装置等の通信端末装置に関し、特に、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置に関する。
【０００２】
【従来の技術】
公衆電話網の交換機またはそれに相当する構内交換機等の交換機に回線を介し接続され、それらの交換機を介して相手先の通信端末装置と通信を行う、ファクシミリ装置等の通信端末装置は、仮に、前記回線に自装置のみが収容される場合、前記回線のオンフック状態またはオフフック状態の検出の必要はない。なぜなら、前記回線をオンフック状態（回線開放状態）またはオフフック状態（回線閉結状態）に変化させるのは、自装置だけで、自装置の動作は当然自装置で把握できるためである。
【０００３】
しかし、前記回線に自装置のみならず、他の通信端末装置も収容されて前記回線を共有する場合がある。具体的には、例えば、自装置がファクシミリ装置で外付けの電話機が前記他の通信端末装置となる場合である。
【０００４】
そのような場合、前記回線のオン／オンフック状態は、前記他の通信端末装置において行われるオン／オンフック動作に応じて変化する。
【０００５】
そのような、他の通信端末装置と回線を共有する通信端末装置は、その回線がオンフック状態またはオフフック状態のいずれの状態であるかを検出して、その検出結果に応じて所定の動作を行う。
【０００６】
その所定の動作とは、具体的には、着信の際に呼び出し信号を受信すると、回線がオンフック状態であることを確認し、オンフック状態であれば、着呼に応答し、オフフック状態であったら、他の通信端末装置が着呼に先に応答したものとして、着信応答動作を中止したり、発信の際に、回線がオンフック状態であることを確認し、オンフック状態であれば、発信し、オフフック状態であったら、他の通信端末装置が通信中であるとして、発信動作を中止してしばらく待ったり、回線が他の通信端末装置が通信中のためにオフフック状態で現在通信は不可である旨を表示したりする等の各種動作である。
【０００７】
そのような各種所定の動作の確実な実行のために重要となる、前記回線のオン／オンフック状態の検出は、その状態変化に応じた前記回線の電気的特性の変化の検出により行われる。
【０００８】
具体的には、オンフック状態では、前記回線に流れる電流は０か極微少である一方、直流電圧は日本の公衆電話網なら約４８Ｖとなる。オフフック状態では、前記回線に流れる電流は１００ないし数１００ｍＡ程度である一方、直流電圧は、回線の電気抵抗や、他の通信端末装置の回線インターフェイス回路の構成に応じた電圧降下により、オンフック状態よりもずっと低い電圧となる。
【０００９】
従来の回線のオン／オンフック状態の検出は、特許文献１にあるように、そのような回線電圧もしくは回線電流を検出する固定的な回路により行われるのが一般的であり、その場合、回線がオンフックまたはオフフックのいずれの状態であるのかを検出する際の検出特性は、回路構成により決まり、変更することができない。
【００１０】
【特許文献１】
特開平９−２７８６７号公報
【００１１】
【発明が解決しようとする課題】
一方で、通信端末装置が接続される回線は、交換機との間の距離に応じた回線の線路抵抗値や、その回線を共有する他の通信端末装置の回線インターフェイス回路の抵抗値などの状況が設置環境により異なるため、一律にオフフック検出またはオンフック検出とみなす電圧や電流を固定したのでは、設置状況に応じて各通信端末装置で異なる、接続される交換機の特性、交換機との距離、回線を共有する他の通信端末装置の回線インターフェイス特性等に柔軟に対応できず、回線のオン／オンフック状態を誤検出するおそれがあるという問題点があった。
【００１２】
本発明は係る事情に鑑みてなされたものであり、前記回線を共有する他の通信端末装置の内部回路構成や、自装置の実際の設置状況に応じた最適な検出条件でのオン／オンフック状態の検出を行うことができる通信端末装置を提供することを目的とする。
【００１３】
【課題を解決するための手段】
請求項１に記載の通信端末装置は、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、前記回線の直流電圧を測定してその電圧値を得る回線電圧測定手段と、基準オフフック電圧値を記憶する基準オフフック電圧値記憶手段と、前記他の通信端末装置をオフフックするよう指示する所定の表示を行う他端末オフフック指示手段と、その他端末オフフック指示手段による当該所定の表示の後、前記他の通信端末装置が今オフフックされていることを示す所定の操作入力を検出する他端末オフフック認識手段と、その他端末オフフック認識手段により、その所定の操作入力が検出された後に、前記回線電圧測定手段により測定された電圧値を前記基準オフフック電圧値として前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とがほぼ等しい場合に、前記回線はオフフック状態であると検出するオン／オフフック状態検出手段とを備え、そのオン／オフフック状態検出手段の検出結果に応じて前記所定の動作を行うことを特徴とする。
【００１４】
請求項２に記載の通信端末装置は、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、前記回線の直流電圧を測定してその電圧値を得る回線電圧測定手段と、基準オフフック電圧値を記憶する基準オフフック電圧値記憶手段と、自装置が設置され得る複数の地域をそれぞれ識別するための各設置地域識別情報と、それら各設置地域に適合する基準オフフック電圧値とを対応付けて予め記憶する地域別基準電圧値記憶手段と、所定の操作入力により指定された、自装置が実際に設置された地域に対応する前記設置地域識別情報に前記地域別基準オフフック電圧記憶手段において対応する基準オフフック電圧値を、前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とがほぼ等しい場合に、前記回線はオフフック状態であると検出するオン／オフフック状態検出手段とを備え、そのオン／オフフック状態検出手段の検出結果に応じて前記所定の動作を行うことを特徴とする。
【００１５】
請求項３に記載の通信端末装置は、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、前記回線の直流電圧を測定してその電圧値を得る回線電圧測定手段と、基準オンフック電圧値を記憶する基準オンフック電圧値記憶手段と、前記回線電圧測定手段に所定の複数回前記回線の直流電圧を測定させて得られた各電圧値のうちの最低の電圧値を前記基準オンフック電圧値として前記基準オンフック電圧値記憶手段に設定・記憶させる基準オンフック電圧値設定手段と、前記基準オンフック電圧値記憶手段に記憶された基準オンフック電圧値よりも、前記回線電圧測定手段により測定される電圧値が低い場合に、前記回線はオフフック状態であると検出するオン／オフフック状態検出手段とを備え、そのオン／オフフック状態検出手段の検出結果に応じて前記所定の動作を行うことを特徴とする。
【００１６】
請求項４に記載の通信端末装置は、請求項３に記載の通信端末装置において、前記基準オンフック電圧値設定手段は、前記回線電圧測定手段に所定の複数回前記回線の直流電圧を測定させて得られた各電圧値のうちの最大値と最低値との差が一定幅以上の場合には、前記回線電圧測定手段に所定の複数回前記回線の直流電圧を測定させて得られた各電圧値のうちの最大値と最低値との差が一定幅以下になるまで、同様の測定を繰り返し行い、前記回線電圧測定手段に所定の複数回前記回線の直流電圧を測定させて得られた各電圧値のうちの最大値と最低値との差が一定幅以下になったときの当該最低の電圧値を前記基準オンフック電圧値として前記基準オンフック電圧値記憶手段に設定・記憶させるものであることを特徴とする。
【００１７】
請求項５に記載の通信端末装置は、請求項３または４のいずれかに記載の通信端末装置において、前記基準オンフック電圧値設定手段は、前記回線電圧測定手段に所定の複数回前記回線の直流電圧を測定させて得られた各電圧値のうちの最低の電圧値を得る動作を定期的に行い、その最低の電圧値が、前記基準オンフック電圧値記憶手段に記憶されている前記基準オンフック電圧値よりも大きい場合には当該最低の電圧値を新たな基準オンフック電圧値として前記前記基準オンフック電圧値記憶手段に設定・記憶させるものであることを特徴とする。
【００１８】
請求項６に記載の通信端末装置は、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、前記回線の直流電圧を測定してその電圧値を得る回線電圧測定手段と、前記回線上のダイヤルトーンの有無を検出するダイヤルトーン検出手段と、基準オフフック電圧値を記憶する基準オフフック電圧値記憶手段と、基準オンフック電圧値を記憶する基準オンフック電圧値記憶手段と、前記回線電圧測定手段に前記回線の直流電圧を測定させて電圧値を得た直後にオフフックすると共に前記ダイヤルトーン検出手段による検出により前記回線上のダイヤルトーンの有無を確認し、ダイヤルトーンが前記回線上にある場合には、当該電圧値を前記基準オンフック電圧値として前記基準オンフック電圧値記憶手段に設定・記憶させ、ダイヤルトーンが前記回線上にない場合には、当該電圧値を前記基準オフフック電圧値として前記基準オフフック電圧値記憶手段に設定・記憶させる基準オン／オフフック電圧値設定手段と、前記基準オンフック電圧値記憶手段に記憶された基準オンフック電圧値よりも、前記回線電圧測定手段に前記回線の直流電圧を測定させて得られた電圧値が低い場合、または、前記基準オフフック電圧値記憶手段に記憶された基準オフフック電圧値と、前記回線電圧測定手段に前記回線の直流電圧を測定させて得られた電圧値とがほぼ等しい場合に、前記回線はオフフック状態であると検出するオン／オフフック状態検出手段とを備え、そのオン／オフフック状態検出手段の検出結果に応じて前記所定の動作を行うことを特徴とする。
【００１９】
【発明の実施の形態】
以下、添付図面を参照しながら、本発明の実施の形態を詳細に説明する。
【００２０】
先ず、図１に、本発明の実施の形態に係る通信端末装置としてのファクシミリ装置１を含む回線接続形態について示す。
【００２１】
同図において、ファクシミリ装置１は、公衆電話網６０の交換機６１に回線Ｌ１，Ｌ２を介して接続され、交換機６１を介して公衆電話網６０上の相手先の通信端末装置との間の通信を行う。なお、ファクシミリ装置１が接続される交換機６１としては、公衆電話網６０のものに限らず、それと同等の構成の構内交換機（ＰＢＸ）である場合もある。
【００２２】
回線Ｌ１、Ｌ２には、交換機６１から直流電圧Ｅｋが印加されている。このＥｋは日本の公衆電話網のものであれば、約４８Ｖである。もっとも、回線Ｌ１、Ｌ２への印加電圧は、極性反転により＋約４８Ｖまたは−約４８Ｖのいずれかとなるが、その絶対値は等しい考えてよい。また交換機６１内には回路抵抗Ｒｋ１，Ｒｋ２が存在する。
【００２３】
回線Ｌ１、Ｌ２は、交換機６１とファクシミリ装置１との距離（最大数キロ）に応じて数Ωから数ｋΩの線路抵抗（Ｒｌ１＋Ｒｌ２）を持つ。また、回線Ｌ１、Ｌ２には、ファクシミリ装置１と共に、電話機等の他の通信端末装置５０も接続されていて、回線Ｌ１、Ｌ２を共有している。
【００２４】
他の通信端末装置５０内では、回線Ｌ１、Ｌ２を閉結（オフフック）・開放（オンフック）するためのスイッチＳｔにより、回線Ｌ１、Ｌ２をオンフック状態又はオフフック状態に変化させる。また、他の通信端末装置５０内にも、回路抵抗Ｒｔが存在する。
【００２５】
そのため、回線がオフフック状態（他の通信端末装置５０がオンフック）になったときに、ファクシミリ装置１の網制御部１３において検出される回線電圧は、抵抗Ｒｋ１，Ｒｋ２、Ｒｌ１、Ｒｌ２、Ｒｔ等の抵抗値や、直流印加電圧Ｅｋの値によって決まる。
【００２６】
しかし、それらの抵抗値や、印加電圧値は、ファクシミリ装置１の実際の設置状況に応じて変動することになるため、固定的な基準電圧と回線電圧との比較により、回線Ｌ１，Ｌ２のオン／オンフック状態を検出するようにしたのでは、精度のよい検出は行えないことになる。
【００２７】
図２に、ファクシミリ装置１のブロック構成について示す。
【００２８】
同図において、ＣＰＵ２は、ＲＯＭ３に書き込まれた制御プログラムに従って、ＲＡＭ４を作業領域として使用しながら、装置各部を制御するマイクロコンピュータである。ＲＯＭ３は、前述したように、ＣＰＵ２が上記装置各部を制御するための制御プログラムやデータが記憶されているリードオンリメモリである。ＲＡＭ４は、前述したようにＣＰＵ２の作業領域として使用されるランダムアクセスメモリである。
【００２９】
操作表示部５は、ユーザによる各種操作入力を受け入れたり、装置の動作状態や、各種メッセージを表示するものである。スキャナ５は、３．８５本／ｍｍ、７．７本／ｍｍ、１５．４本／ｍｍ等の所定の読み取り線密度で原稿画像を読み取って、送信画情報などの画情報を得るためのものである。プロッタ６は、受信画情報などの画情報を、その線密度に応じて記録出力したりするためのものである。
【００３０】
パラメータメモリ８は、装置動作に必要な各種情報が記憶されると共に、装置の電源がオフされた状態でもその記憶内容を保持するメモリであり、具体的には、ＥＥＰＲＯＭ（電気的に書き換え可能な読み出し専用メモリ）や、バッテリバックアップされたＳＲＡＭ（スタティックＲＡＭ）などにより構成されるものである。
【００３１】
タイマ制御部５は、タイマ動作を制御するものであり、ＣＰＵ２から設定された時定数を設定されたタイマをカウントダウンし、タイマがタイムアウトするとＣＰＵ２にその旨システムバス１４を介して通知して、時定数で設定された時間の経過を計時するものである。
【００３２】
符号化復号化部８は、送信画情報を、ファクシミリに適合する、ＭＨ符号化方式、ＭＲ符号化方式、ＭＭＲ符号化方式等の所定の符号化方式で符号化圧縮する一方、受信画情報をＭＨ符号化方式、ＭＲ符号化方式、ＭＭＲ符号化方式等に対応する所定の復号化方式で復号伸長するものである。
【００３３】
通信制御部１１は、モデム１２により送受信されるモデム信号により、通信相手のファクシミリ装置との間の、Ｇ３伝送制御手順に従った制御信号や画情報データやりとりを、専門に行う通信用のマイクロコンピュータである。
【００３４】
モデム１２は、ファクシミリモデム機能を備え、網制御部１３を介して、回線Ｌ１，Ｌ２に送信するデータを変調する一方、網制御部１３を介して回線Ｌ１，Ｌ２から受信した信号を復調するものであり、伝送手順信号をやりとりするための低速モデム機能（Ｖ．２１モデム）、および、おもに画情報をやりとりするための高速モデム機能である、Ｖ．１７、Ｖ．３３、Ｖ．３４、Ｖ．２９、Ｖ．２７ｔｅｒの各モデム機能をを備えている。また、モデム１２は、指定された宛先電話番号に対応した選択信号を、ＤＴＭＦ信号として生成して網制御部１３を介して回線Ｌ１，Ｌ２に送出するＤＴＭＦ信号生成機能も備えている。
【００３５】
網制御部１１は、回線２０に接続されて、回線Ｌ１，Ｌ２の直流ループの閉結・開放や、回線Ｌ１，Ｌ２の極性反転の検出、回線Ｌ１，Ｌ２のオン／オフフック状態の検出、ダイヤルトーンの検出、呼び出し信号やビジートーン等の約１６Ｈｚ信号の検出、約４００Ｈｚの呼び出し信号の検出等の、回線Ｌ１，Ｌ２との接続制御を行うものである。システムバス１４は、上記各部がデータをやり取りするための、データバス、アドレスバス、制御バス、Ｉ／Ｏバス、割り込み信号ライン等から構成される、信号ラインである。
【００３６】
図３に、画像形成装置１の操作表示部５の配置構成について示す。
【００３７】
同図において、テンキー５ａは、０ないし９の数字や「＃」、「＊」の各記号を入力するためのものである。［Ｙｅｓ］キー５ｂは、表示器５ｈに表示された内容に対して肯定的な操作入力を行ためのものである。［Ｎｏ］キー５ｃは、表示器５ｉに表示された内容に対して否定的な操作入力を行うためのものである。
【００３８】
［ストップ］キー５ｄは、装置動作の強制的な中断を指示したりするためのものである。［スタート］キー５ｅは、複写動作などの各種装置動作の開始を指示するためのものである。
【００３９】
［ファンクション］キー５ｆは、その押下操作と、テンキー５ａによる番号入力操作との組み合わせにより、各種設定・登録機能を呼び出したりするためのものである。
【００４０】
矢印キー群５ｇは、［↑］キー５ｇｕ、［↓］キー５ｇｄ、［→］キー５ｇｒ、及び、［←］キー５ｇｌにより構成され、表示器５ｈに表示され選択項目のうちの特定の項目を選択したり、表示器５ｈの表示を上下左右にスクロールさせたりするためのものである。
表示器５ｈは、ユーザに認識させるべき各種メッセージを表示するためのものである。
【００４１】
図４にファクシミリ装置１の網制御部１３の詳細構成について示す。同図において、回線Ｌ１、Ｌ２は、スイッチＳｌを介してライントランスＬＴの一次側に接続されている。スイッチＳｌのＯＮ／ＯＦＦは、システムバス１４を介してＣＰＵ２により行われる。スイッチＳｌがＯＮで回線Ｌ１、Ｌ２はオフフックされ、ＯＦＦでオンフックされる。
【００４２】
また、回線Ｌ１、Ｌ２には、約１６Ｈｚの断続信号である呼び出し信号を、フォトカプラ等を用いた回路により検出する、呼び出し信号検出部３０と、分圧抵抗Ｒ１及びＲ２が接続されている。分圧抵抗Ｒ１の両端は、Ａ／Ｄ変換器３１に入力されている。Ａ／Ｄ変換器３１は、分圧抵抗Ｒ１の両端の電圧を測定して、電圧値としてシステムバス１４を介してＣＰＵ２に出力する。その電圧値と分圧抵抗Ｒ１及びＲ２の分圧比とにより、回線Ｌ１、Ｌ２の電圧値は容易に算出できる。なお、回線Ｌ１、Ｌ２の直流電圧は、極性反転により、＋たまは−の極性が変わるため、Ａ／Ｄ変換器３１により得られた電圧値の絶対値を、回線Ｌ１、Ｌ２の電圧値として扱う。Ａ／Ｄ変換器３１は、回線Ｌ１，Ｌ２の極性反転の検出も行う。なお、Ａ／Ｄ変換器３１は、回線電圧測定手段に相当する。
【００４３】
ライントランスＬＴにより、回線Ｌ１、Ｌ２の直流成分が除かれた交流信号成分は、二次側信号Ｒ、Ｔとなり、モデム１２に入力される。逆に、モデム１２からの交流信号成分は、ライントランスＬＴにより、１次側の直流電圧に重畳される。
【００４４】
また、ライントランスＬＴの２次側には、ファクシミリ装置１または他の通信端末装置５０がオフフックして回線Ｌ１、Ｌ２が閉結されると交換機６１が送出されてくる、４００Ｈｚのダイヤルトーンを検出するためのダイヤルトーン検出部３２が接続され、その検出結果は、システムバス１４を介してＣＰＵ２に通知される。なお、ダイヤルトーン検出部３２はダイヤルトーン検出手段に相当する。
【００４５】
以上のように構成されるファクシミリ装置１は、回線Ｌ１、Ｌ２のオン／オンフック状態の検出結果に応じて所定の動作を行う。具体的には、図５に示す回線状態表示処理手順、図７に示す、自動発信処理手順、図８に示す、自動着信処理手順などである。
【００４６】
図５に示す回線状態表示処理手順において、ＣＰＵ２は、一定時間待つ（処理Ｓ１０１）。つまり、その一定時間に相当する時定数をタイマ制御部９に設定すると共にタイマ動作を起動させ、タイムアウトが通知されるの待つ。
【００４７】
そして、オン／オンフック状態検出処理、つまり、回線Ｌ１、Ｌ２が今オンフック状態またはオフフック状態のいずれの状態であるかのを検出する処理を行う（処理Ｓ１０２）。なお、そのオン／オンフック状態検出処理の詳細については後述する。
【００４８】
処理Ｓ１０２により、回線Ｌ１、Ｌ２がオフフック状態でない（オンフック状態である）場合には（判断Ｓ１０３のＮｏ）、操作表示部５の表示器５ｈに、図６の表示Ｄ０１に示すメッセージ表示を行い（処理Ｓ１０４）、現在回線Ｌ１、Ｌ２は空いていて、送信が可能であることなどを示す。
【００４９】
処理Ｓ１０２により、回線Ｌ１、Ｌ２がオフフックである場合には（判断Ｓ１０３のＹｅｓ）、操作表示部５の表示器５ｈに、図６の表示Ｄ０２に示すメッセージ表示を行い（処理Ｓ１０５）、現在回線Ｌ１、Ｌ２は他の通信端末装置５０により使用されていて、送信が不可能であるからしばらく待つよう指示する。
【００５０】
また、図７の自動発信処理手順において、ＣＰＵ２は、オン／オンフック状態検出処理手順を行い（処理Ｓ２０１）、回線Ｌ１、Ｌ２がオフフック状態でない場合には（判断Ｓ２０２のＮｏ）、スイッチＳｌを閉結することでオフフックして（処理Ｓ２０３）、指定された宛先番号をモデム１２に渡し、モデム１２により選択信号としてのＤＴＭＦ信号を送出させる（処理Ｓ２０５）。なお、公衆回線網６０の事業者との契約内容によっては、選択信号をダイヤルパルスで送出する場合もあるが、本実施の形態では、いわゆる「プッシュ回線」での契約であるとして、ダイヤルパルス送出のための回路構成は省いている。
【００５１】
そして、応答した相手先のファクシミリ装置との間でファクシミリプロトコル手順をやりとりして画情報を送信するファクシミリ送信処理を行う（処理Ｓ２０５）。
【００５２】
判断２０２において、回線Ｌ１、Ｌ２がオンフック状態である場合には（判断Ｓ２０２のＹｅｓ）、一定時間待ち（処理Ｓ２０６）、処理Ｓ２０１に戻って、回線Ｌ１、Ｌ２がオンフック状態になるまで待つ。
【００５３】
また、図８の自動着信処理手順において、ＣＰＵ２は、呼び出し信号検出部３０の検出結果をチェックすることにより、呼び出し信号の受信確認を行う（処理Ｓ３０１、判断Ｓ３０２のＮｏのループ）。
【００５４】
呼び出し信号を受信すると（判断Ｓ３０２のＹｅｓ）、すぐには応答しないで、１６Ｈｚの信号が約１秒ＯＮ、２秒ＯＦＦとなる呼び出し信号の、ＯＦＦ期間になるのを待つ（処理Ｓ３０３）。そして、オン／オンフック状態検出処理手順を行い（処理Ｓ３０４）、回線Ｌ１、Ｌ２がオフフック状態でない場合には（判断Ｓ３０５のＮｏ）、スイッチＳｌを閉結することでオフフックして（処理Ｓ３０６）、着信に応答し、
相手先のファクシミリ装置との間でファクシミリプロトコル手順をやりとりして画情報を受信・記録出力する、ファクシミリ受信処理を行う（処理Ｓ３０７）。
【００５５】
このように、図５の処理Ｓ１０２、図７の処理Ｓ２０１、または、図８の処理Ｓ３０４のオン／オンフック状態検出処理は、各図に示した、「所定の動作」を確実に行うために、その検出精度は高くあるべきものである。
【００５６】
以下、第１実施形態、第２実施形態、及び、第３実施形態に分けて、図５の処理Ｓ１０２、図７の処理Ｓ２０１、または、図８の処理Ｓ３０４のオン／オンフック状態検出処理として適用される、検出精度の高いオン／オンフック状態検出処理と、その処理のために必要な構成について説明する。
【００５７】
先ず、第１実施形態について説明する。
【００５８】
図９に、第１実施形態に係るパラメータメモリ８の記憶内容について示す。
【００５９】
同図において、パラメータメモリ８には、記憶領域８ａに、基準オフフック電圧値Ｖｓｔｄ＿ｏｆｆが記憶されている。なお、Ｖｓｔｄ＿ｏｆｆの初期値としては、オフフック状態での回線Ｌ１，Ｌ２のオフフック電圧として妥当な値が予め設定されているが、その値のままではファクシミリ装置１の設置状況に柔軟に対応することはできない。なお、記憶領域８ａは、基準オフフック電圧値記憶手段に相当する。
【００６０】
記憶領域８ｂには、地域別基準オフフック電圧値登録テーブル８ｂが予設定・記憶されている。テーブル８ｂは、具体的には、図１０に示す内容であり、「地域コード」、「地域名文字列」、及び、「基準オフフック電圧値」の対応付けとして構成されている。つまり、テーブル８ｂには、国（例えばＡ国）、ある国の一部（例えばＢ国西部）、例えば複数の国で構成される地域（Ａ地域）の、各地域と、それらの各地域において最適な基準オフフック電圧値とが対応付けられている。また、テーブル８ｂにおいては、「地域」を広義にとらえて、ファクシミリ装置１が公衆電話網の交換機６１の代わりに収容され得る、各社各機種の構内交換機と、それらの交換機に対応する基準オフフック電圧値も併せて設定・記憶されている。なお、「地域コード」は、設置地域識別情報に相当する。また、テーブル８ｂは、地域別基準電圧値記憶手段に相当する。
【００６１】
それにより、構内交換機からの回線にファクシミリ装置１が接続される場合でも最適なオフフック検出ができるようになる。
【００６２】
図１１に、図５の処理Ｓ１０２、図７の処理Ｓ２０１、または、図８の処理Ｓ３０４のオン／オンフック状態検出処理として適用される、、第１実施の形態に係るオン／オフフック状態検出処理手順について示す。なお、この処理手順は、オン／オフフック状態検出手段に相当する。
【００６３】
同図において、ＣＰＵ２は、Ａ／Ｄ変換器３１により回線Ｌ１，Ｌ２の電圧を測定して回線電圧値Ｖｒｅａｌ（絶対値）を取得する（処理Ｓ４０１）。そして、ＶｒｅａｌとＶｓｔｄ＿ｏｆｆとが等しいかの真偽を判定し（処理Ｓ４０２）、「真」の場合は（判断Ｓ４０３のＹｅｓ）、回線Ｌ１，Ｌ２はオフフック状態と判定する（処理Ｓ４０４）。「偽」の場合は（判断Ｓ４０３のＮｏ）、回線Ｌ１，Ｌ２はオンフック状態と判定する（処理Ｓ４０５）。
【００６４】
Ｖｓｔｄ＿ｏｆｆが、妥当な初期値のままでは、図１１の処理手順でのオン／オフフック状態検出の精度はそれほど高くないが、第１実施形態では、図１２に示す各種設定処理により、Ｖｓｔｄ＿ｏｆｆを最適な値に設定するため、図１１の処理手順でのオン／オフフック状態検出の精度を高くすることができる。
【００６５】
図１２の各種設定処理において、ＣＰＵ２は、操作表示部５の［ファンクション］キー５ｆの押下を監視していて（判断Ｓ５０１のＮｏのループ）、［ファンクション］キー５ｆが押下されると（判断Ｓ５０１のＹｅｓ）、テンキー５ａによる、番号「１０」の入力があるか、つまり、設置地域設定処理を起動する入力があったかを判断し（判断Ｓ５０２）、あった場合には（判断Ｓ５０２のＹｅｓ）、設置地域設定処理を行う（処理Ｓ５０５）。なかった場合には（判断Ｓ５０２のＮｏ）、更に、テンキー５ａによる、番号「２０」の入力があるか、つまり、基準オフフック電圧設定処理を起動する入力があったかを判断し（判断Ｓ５０３）、あった場合には（判断Ｓ５０３のＹｅｓ）、基準オフフック電圧設定処理を行う（処理Ｓ５０６）。なかった場合には（判断Ｓ５０３）Ｎｏ）、本発明とは直接関係しない、その他の設定処理Ｓを行い（処理Ｓ５０４）、処理Ｓ５０１に戻る。
【００６６】
図１３に、処理Ｓ５０５の設置地域設定処理の具体的な処理手順について示す。なお、この処理手順は、基準オフフック電圧値設定手段に相当する。
【００６７】
同図において、ＣＰＵ２は、表示器５ｈに、図１４の表示Ｄ１０に示すメッセージ表示を行う表示制御処理を（処理Ｓ６０１）、［Ｙｅｓ］キー５ｂが押下されるまで行う（判断Ｓ６０２のＮｏのループ）。処理Ｓ６０１での表示制御処理では、ファクシミリ装置１が実際に設置された地域に対応する地域コードの入力を促すメッセージ表示を行うと共に、テンキー５ａによる入力されたコードを表示Ｄ１０に表示すると共に、現在指定されているコードを記憶する処理を行う。
【００６８】
判断Ｓ６０２で、［Ｙｅｓ］キー５ｂが押下されると（判断Ｓ６０２のＹｅｓ）、地域コードにテーブル８ｂにおいて対応する基準オフフックで電圧値をＶｔｅｍｐとして取得し、記憶領域８ａに記憶されている、Ｖｓｔｄ＿ｏｆｆの値を、そのＶｔｅｍｐの値に上書き更新する（処理Ｓ６０４）。
【００６９】
そして、表示器５ｈに図１４の表示１１に示す、入力された地域コードと、テーブル８ｂにおいて、その地域コードに対応する地域名文字列とを対応付けた、メッセージ表示を行う処理を（処理Ｓ６０５）、［Ｙｅｓ］キー５ｂが押下されるまで行い（判断Ｓ６０６のＮｏのループ）、［Ｙｅｓ］キー５ｂが押下されると（判断Ｓ６０６のＹｅｓ）、処理を終了する。
【００７０】
これにより、以後、第１実施形態に係る、図１１のオン／オフフック状態検出処理は、ファクシミリ装置１が実際に設置された地域の公衆電話網６０の交換機６１から回線Ｌ１，Ｌ２に印可される直流電圧等の、設置地域に応じて変動する要因に適合した最適な基準オフフック電圧値Ｖｓｔｄ＿ｏｆｆと、回線Ｌ１，Ｌ２の直流電圧を測定して得られる電圧値Ｖｒｅａｌとの比較による行われるため、精度の高い検出が可能となる。
【００７１】
図１５に、図１２の処理Ｓ５０６の基準オフフック電圧設定処理の具体的な処理手順について示す。なお、この処理手順は、基準オフフック電圧値設定手段に相当する。
【００７２】
同図において、ＣＰＵ２は、表示器５ｈに、図１６の表示Ｄ２０に示す、これから回線Ｌ１，Ｌ２のオフフック電圧を測定するから、他の通信端末装置５０をオフフックするよう、他の通信端末装置５０が電話器なら、受話器を上げてオフフックするよう促す、メッセージ表示を行う処理を（処理Ｓ７０１）、［Ｙｅｓ］キー５ｂが押下されるまで行う（判断Ｓ７０２のＮｏのループ）。なお、処理Ｓ７０１は、他端末オフフック指示手段に相当する。また、判断Ｓ７０２は、他端末オフフック認識手段に相当する。
【００７３】
この図１５の基準オフフック電圧設定処理を起動したユーザは、その表示Ｄ２０のメッセージ表示を見て他の通信端末装置６０をオフフックし、［Ｙｅｓ］キー５ｂを押下することになる。
【００７４】
判断Ｓ７０２で、［Ｙｅｓ］キー５ｂが押下されると（判断Ｓ７０２のＹｅｓ）、ＣＰＵ２は、Ａ／Ｄ変換器３１により回線Ｌ１，Ｌ２の電圧を測定して回線電圧値Ｖｒｅａｌ（絶対値）を取得する（処理Ｓ４０１）。そして、記憶領域８ａに記憶されている、Ｖｓｔｄ＿ｏｆｆの値を、そのＶｒｅａｌの値に上書き更新する（処理Ｓ７０４）。
【００７５】
そして、表示器５ｈに図１６の表示２１に示す、回線Ｌ１，Ｌ２のオフフック電圧の測定を完了した旨と、他の通信端末装置６０のオフフック状態を元のオンフック状態にもどすよう促す、メッセージ表示を行う処理を（処理Ｓ７０５）、［Ｙｅｓ］キー５ｂが押下されるまで行い（判断Ｓ７０６のＮｏのループ）、［Ｙｅｓ］キー５ｂが押下されると（判断Ｓ７０６のＹｅｓ）、処理を終了する。
【００７６】
これにより、以後、第１実施形態に係る、図１１のオン／オフフック状態検出処理は、ファクシミリ装置１が実際に設置された地域の公衆電話網６０の交換機６１から回線Ｌ１，Ｌ２に印可される直流電圧や、交換機６０までの距離（回線の線路抵抗Ｒｌ１，Ｒｌ２に反映される）や、他の通信端末装置５０の内部回路構成（抵抗Ｒｔに反映される）等の、設置地域に応じて変動する要因にいっそう適合した最適な基準オフフック電圧値Ｖｓｔｄ＿ｏｆｆと、回線Ｌ１，Ｌ２の直流電圧を測定して得られる電圧値Ｖｒｅａｌとの比較による行われるため、いっそう精度の高い検出が可能となる。
【００７７】
次に、第２実施形態について説明する。
【００７８】
図１７に、第２実施形態に係るパラメータメモリ８の記憶内容について示す。
【００７９】
同図において、パラメータメモリ８には、記憶領域８ｃに、基準オンフック電圧値Ｖｓｔｄ＿ｏｎが記憶されている。なお、Ｖｓｔｄ＿ｏｎの初期値としては、オンフック状態での回線Ｌ１，Ｌ２のオンフック電圧の下限として妥当な値が予め設定されているが、その値のままではファクシミリ装置１の設置状況に柔軟に対応することはできない。また、記憶領域８ｂには、基準オンフック電圧値未更新フラグＦｍが予め初期値０として設定・記憶されている。なお、記憶領域８ｃは、基準オンフック電圧値記憶手段に相当する。
【００８０】
図１８に、図５の処理Ｓ１０２、図７の処理Ｓ２０１、または、図８の処理Ｓ３０４のオン／オンフック状態検出処理として適用される、、第２実施の形態に係るオン／オフフック状態検出処理手順について示す。なお、この処理手順は、オン／オフフック状態検出手段に相当する。
【００８１】
同図において、ＣＰＵ２は、Ａ／Ｄ変換器３１により回線Ｌ１，Ｌ２の電圧を測定して回線電圧値Ｖｒｅａｌ（絶対値）を取得する（処理Ｓ８０１）。そして、Ｖｒｅａｌの値がＶｓｔｄ＿ｏｎの値より小さいかの真偽を判定し（処理Ｓ８０２）、「真」の場合は（判断Ｓ８０３のＹｅｓ）、回線Ｌ１，Ｌ２はオフフック状態と判定する（処理Ｓ８０４）。「偽」の場合は（判断Ｓ８０３のＮｏ）、回線Ｌ１，Ｌ２はオンフック状態と判定する（処理Ｓ８０５）。
【００８２】
Ｖｓｔｄ＿ｏｎが、妥当な初期値のままでは、図１８の処理手順でのオン／オフフック状態検出の精度はそれほど高くないが、第２実施形態では、図１９に示す基準オンフック電圧自動設定更新処理により、Ｖｓｔｄ＿ｏｎを最適な値に設定するため、図１８の処理手順でのオン／オフフック状態検出の精度を高くすることができる。なお、図１９の基準オンフック電圧自動設定更新処理は、装置が設置されて初めて起動されるときに自動的に起動するようしてもよいし、［ファンクション］キー５ｆとテンキー５ａにより番号の組合せ入力により、起動するようにしてもよい。なお、図１９の処理手順は、基準オンフック電圧値設定手段に相当する。
【００８３】
図１９の基準オンフック電圧自動設定更新処理において、ＣＰＵ２は、自装置がファクシミリ送信またはファクシミリ受信を行っていて、通信している最中なら、通信が終わるのを待ち（判断Ｓ９０１のＮｏのループ）、通信が終了すると（処理Ｓ９０１のＹｅｓ）、フラグＦｍの値が０かを判断する（判断Ｓ９０２）。フラグＦｍの初期値は０のため、判断Ｓ９０２は必ず１回だけＹｅｓとなる。
【００８４】
判断Ｓ９０２がＹｅｓの場合、基準オンフック電圧取得処理を行う（処理Ｓ９０３）。
【００８５】
ここで、処理９０３の基準オンフック電圧取得処理の具体的な処理手順について、図図２０及び図２１を参照して説明する。
【００８６】
それらの図において、ＣＰＵ２は、カウンタ変数Ｎを０にリセットした上で（処理Ｓ１００１）、Ａ／Ｄ変換器３１により回線Ｌ１，Ｌ２の電圧を測定して回線電圧値Ｖｒｅａｌ（絶対値）を取得する（処理Ｓ１００２）。そして、Ｖｒｅａｌが最高電圧値Ｖｍａｘ以上かの真偽を判定する（処理Ｓ１００３）。なお、最高電圧値Ｖｍａｘの初期値としては、回線Ｌ１，Ｌ２のオンフック電圧として有り得ない十分低い値（例えば０Ｖ）が予め設定されている。
【００８７】
その判定の結果が、「偽」の場合は（判断Ｓ１００４のＮｏ）、処理１００６に移行する。「真」の場合は（判断Ｓ１００４のＹｅｓ）、Ｖｒｅａｌの値を新たなＶｍｉｎの値とする（処理Ｓ１００８）。
【００８８】
処理１１０１では、回線Ｌ１，Ｌ２の電圧測定の時間間隔をある程度確保するため、一定時間待った後（処理Ｓ１１０１）、カウンタ変数Ｎをインクリメント（＋１）する（処理Ｓ１１０２）。
【００８９】
そして、Ｎが１０に達しない場合には（判断Ｓ１１０３のＮｏ）、処理１００２に戻り、同様の処理をＮが１０に達するまで繰り返す。Ｎが１０に達したときには、ＶｍａｘとＶｍｉｎには、測定した回線Ｌ１，Ｌ２の最大値と最低値とがそれぞれ記憶されることになる。それらの電圧値の差（Ｖｍａｘ−Ｖｍｉｎ）は、回線Ｌ１，Ｌ２上の電圧が安定していれば小さく、不安定なら大きくるため、その電圧値の差が一定範囲内なら、最低電圧値Ｖｍｉｎを、回線Ｌ１，Ｌ２の直流電圧値がそれ以上ならオフフック状態と判定するための基準オンフック電圧値として採用できる。しかし、一定範囲外なら、１０回の測定時の回線Ｌ１，Ｌ２上の直流電圧が不安定で、基準オンフック電圧値として採用するには疑義があるということになる。
【００９０】
このため、判断Ｓ１１０３がＹｅｓになると、Ｖｍａｘ−Ｖｍｉｎが一定範囲（本実施形態では３Ｖ）以内に収まっているかの真偽を判定する（処理Ｓ１１０４）。その判定の結果、「真」の場合は（判断Ｓ１１０５のＹｅｓ）、最低電圧値Ｖｍｉｎを基準オンフック電圧値として採用できるため、処理を終了する。「偽」の場合は（判断Ｓ１１０５のＮｏ）、処理１００１に戻って、最初からやりなおす。それにより、測定時に回線Ｌ１，Ｌ２上に重畳したノイズ成分の影響を受けない電圧値を基準オンフック電圧値として採用することができるようになる。また、１回だけ測定してその電圧値を基準オンフック電圧値として採用してしまうのではなく、１０回測定するようにしているため、その分精度のよい基準オンフック電圧値を得ることができる。
【００９１】
図１９の処理９０３に戻って、その処理９０３の基準オンフック電圧取得処理の後、その基準オンフック電圧取得処理で得たＶｍｉｎの値を新たなＶｓｔｄ＿ｏｎとして設定・記憶する。
【００９２】
これにより、図１８のオン／オフフック状態検出処理を精度よく行うことができるようなる。
【００９３】
しかし、処理９０３での基準オンフック電圧取得処理時に、運悪く他の通信端末装置６０がオフフックしていると、処理９０３で基準オンフック電圧として得たＶｍｉｎは、回線Ｌ１，Ｌ２のオフフック状態での電圧ということになり、図１８のオン／オフフック状態検出処理を精度よく行えなってしまう。
【００９４】
そのため、処理Ｓ９０４の後、または、（判断Ｓ９０２がＮｏ）となった場合、一定期間待った後（処理Ｓ９０５）、ＣＰＵ２は、自装置がファクシミリ送信またはファクシミリ受信を行っていて、通信している最中なら、通信が終わるのを待ち（判断Ｓ９０６のＮｏのループ）、通信が終了すると（処理Ｓ９０６のＹｅｓ）、図２０及び図２１に具体的に示した、基準オンフック電圧値取得処理を行い（処理Ｓ９０７）、その処理９０７の基準オンフック電圧取得処理の後、その基準オンフック電圧取得処理で得たＶｍｉｎの値が、現在のＶｓｔｄ＿ｏｎ以上かの真偽を判定する（判断Ｓ９０８）。
【００９５】
その判定の結果が「偽」である場合には（判断Ｓ９０９のＮｏ）、現在のＶｓｔｄ＿ｏｎの設定値を維持したまま判断Ｓ９０１に戻る。判断９０９の判定の結果が「真」である場合には（判断Ｓ９０９のＹｅｓ）、処理Ｓ９０７で得たＶｍｉｎをＶｓｔｄ＿ｏｎとして設定・記憶して判断Ｓ９０１に戻る。
【００９６】
これにより、処理Ｓ９０３または処理Ｓ９０８における回線Ｌ１，Ｌ２の電圧測定時間に、万が一、他の通信端末装置６０がオフフックしていても、次回またはそれ以降の処理Ｓ９０８により、現在の（電圧値が低すぎる）基準オンフック電圧値Ｖｓｔｄ＿ｏｎが、基準オンフック電圧値としてより妥当な高い電圧のＶｍｉｎに更新設定されるため、図１８のオン／オフフック状態検出処理をいっそう精度よく行うことができるようなる。
【００９７】
次に、第３実施形態について説明する。
【００９８】
図２２に、第３実施形態に係るパラメータメモリ８の記憶内容について示す。
【００９９】
同図において、パラメータメモリ８には、記憶領域８ａに、基準オフフック電圧値Ｖｓｔｄ＿ｏｆｆ、記憶領域８ｃに、基準オンフック電圧値Ｖｓｔｄ＿ｏｎが記憶されている。なお、Ｖｓｔｄ＿ｏｆｆの初期値としては、オフフック状態での回線Ｌ１，Ｌ２のオフフック電圧として妥当な値が予め設定されているが、その値のままではファクシミリ装置１の設置状況に柔軟に対応することはできない。また、Ｖｓｔｄ＿ｏｎの初期値としては、オンフック状態での回線Ｌ１，Ｌ２のオンフック電圧の下限として妥当な値が予め設定されているが、その値のままではファクシミリ装置１の設置状況に柔軟に対応することはできない。なお、記憶領域８ａは、基準オフフック電圧値記憶手段に相当する。また、記憶領域８ｃは、基準オンフック電圧値記憶手段に相当する。
【０１００】
図２３に、図５の処理Ｓ１０２、図７の処理Ｓ２０１、または、図８の処理Ｓ３０４のオン／オンフック状態検出処理として適用される、、第３実施の形態に係るオン／オフフック状態検出処理手順について示す。この処理手順は、なお、オン／オフフック状態検出手段に相当する。
【０１０１】
同図において、ＣＰＵ２は、Ａ／Ｄ変換器３１により回線Ｌ１，Ｌ２の電圧を測定して回線電圧値Ｖｒｅａｌ（絶対値）を取得する（処理Ｓ１２０１）。そして、Ｖｒｅａｌの値がＶｓｔｄ＿ｏｎの値より小さいか、または、ＶｒｅａｌとＶｓｔｄ＿ｏｎとが等しいかの真偽を判定し（処理Ｓ１２０２）、「真」の場合は（判断Ｓ１２０３のＹｅｓ）、回線Ｌ１，Ｌ２はオフフック状態と判定する（処理Ｓ１２０４）。「偽」の場合は（判断Ｓ１２０３のＮｏ）、回線Ｌ１，Ｌ２はオンフック状態と判定する（処理Ｓ１２０５）。
【０１０２】
Ｖｓｔｄ＿ｏｆｆや、Ｖｓｔｄ＿ｏｎが、妥当な初期値のままでは、図２３の処理手順でのオン／オフフック状態検出の精度はそれほど高くないが、第３実施形態では、図２４に示す基準オン／オフフック電圧設定処理により、Ｖｓｔｄ＿ｏｆｆ及びＶｓｔｄ＿ｏｎを最適な値に設定するため、図２３の処理手順でのオン／オフフック状態検出の精度を高くすることができる。なお、図２４の基準オン／オフフック電圧設定処理は、装置が設置されて初めて起動されるときに自動的に起動するようしてもよいし、［ファンクション］キー５ｆとテンキー５ａにより番号の組合せ入力により、起動するようにしてもよい。なお、図２４の処理手順は、基準オン／オフフック電圧値設定手段に相当する。
【０１０３】
図２４の基準オン／オフフック電圧設定処理において、ＣＰＵ２は、Ａ／Ｄ変換器３１により回線Ｌ１，Ｌ２の電圧を測定して回線電圧値Ｖｒｅａｌ（絶対値）を取得する（処理Ｓ１３０１）。その直後、間を置かずに、スイッチＳｌを閉結することにより、回線Ｌ１，Ｌ２をオフフックする。（処理Ｓ１３０２）。そして、約４００Ｈｚのダイヤルトーンの回線Ｌ１，Ｌ２上での有無を、ダイヤルトーン検出部３２の検出状態のチェックにより確認する。
【０１０４】
ダイヤルトーンが回線Ｌ１，Ｌ２上にある場合には（判断Ｓ１３０４のＹｅｓ）、つまり、処理Ｓ１３０１でのＶｒｅａｌ取得時に回線Ｌ１，Ｌ２がオンフック状態であると判断できる場合には、処理Ｓ１３０２でオフフックしたスイッチＳｌを、元のオンフック状態に戻した上で（処理Ｓ１３０５）、Ｖｓｔｄ＿ｏｎの新たな値としてＶｒｅａｌの値を設定する（処理Ｓ１３０６）。
【０１０５】
ダイヤルトーンが回線Ｌ１，Ｌ２上にない場合には（判断Ｓ１３０４のＮｏ）、つまり、処理Ｓ１３０１でのＶｒｅａｌ取得時に回線Ｌ１，Ｌ２がオフフック状態であると判断できる場合には、処理Ｓ１３０２でオフフックしたスイッチＳｌを、元のオンフック状態に戻した上で（処理Ｓ１３０７）、Ｖｓｔｄ＿ｏｆｆの新たな値としてＶｒｅａｌの値を設定する（処理Ｓ１３０８）。
【０１０６】
これにより、図２３のオン／オフフック状態検出処理を精度よく行うことができるようなる。
【０１０７】
なお、以上説明した実施の形態では、本発明を通信端末装置の１つであるファクシミリ通信に適用したが、本発明は、それに限らず、回線Ｌ１，Ｌ２のオン／オフフック状態を検出して所定の動作を行う通信端末装置であれば、同様に適用可能なものである。
【０１０８】
また、以上説明した実施の形態では、ＶｒｅａｌがＶｓｔｄ＿ｏｆｆに等しいときに回線Ｌ１，Ｌ２がオフフック状態であると判定し、また、ＶｒｅａｌがＶｓｔｄ＿ｏｆｆより小さいときに回線Ｌ１，Ｌ２がオフフック状態であると判定するようにしたが、ある程度の誤差を許容するようにしてもよいのは当然である。つまり、ＶｒｅａｌとＶｓｔｄ＿ｏｆｆとの差が一定範囲内で、ＶｒｅａｌとＶｓｔｄ＿ｏｆｆとがほぼ等しいといえる範囲なら、回線Ｌ１，Ｌ２がオフフック状態と判定するようにしてよい。また、ＶｒｅａｌがＶｓｔｄ＿ｏｎより小さく、その差が一定幅以上で、ＶｒｅａｌがＶｓｔｄ＿ｏｎより確実に低いいえる範囲なら、回線Ｌ１，Ｌ２がオフフック状態と判定するようにしてよい。
【０１０９】
【発明の効果】
請求項１に係る発明によれば、自装置と回線を共有する他の通信端末装置をオフフックするようにユーザに促して、それに応じてユーザがその他の通信端末装置をオフフックしし、そのオフフック作業を行ったことを示す操作が行われ、前記他の通信端末装置が確実にオフフックされた後に、前記回線の電圧を測定して、その測定した電圧値を基準オフフック電圧値とし、前記回線のオン／オフフック状態の検出を、前記回線の直流電圧値と、その基準オフフック電圧値との比較により行うようにしたため、前記回線を共有する他の通信端末装置の内部回路構成や、自装置の実際の設置状況に応じた最適な検出条件でのオン／オンフック状態の検出が可能となり、そのオン／オンフック状態の検出結果に応じて行う各種所定の動作を確実に行うことが可能となる効果が得られる。
【０１１０】
請求項２に係る発明によれば、実際に自装置が設置される地域に適合する電圧値を基準オフフック電圧値とし、前記回線のオン／オフフック状態の検出を、前記回線の直流電圧値と、その基準オフフック電圧値との比較により行うようにしたため、自装置の実際の設置状況に応じた最適な検出条件でのオン／オンフック状態の検出が可能となり、そのオン／オンフック状態の検出結果に応じて行う各種所定の動作を確実に行うことが可能となる効果が得られる。
【０１１１】
請求項３に係る発明によれば、前記回線の電圧を複数回測定して得られる各電圧値のうちの最低の電圧値を、基準オンフック電圧値として、前記回線のオン／オフフック状態の検出を、前記回線の実際の直流電圧値と、その基準オンフック電圧値との比較により行うようにしたため、前記回線を共有する他の通信端末装置の内部回路構成や、自装置の実際の設置状況に応じた最適な検出条件でのオン／オンフック状態の検出が可能となり、そのオン／オンフック状態の検出結果に応じて行う各種所定の動作を確実に行うことが可能となる効果が得られる。
【０１１２】
請求項４に係る発明によれば、前記基準オンフック電圧を設定するための、前記回線の電圧の複数回の測定時に、着信による呼び出し信号の重畳などがあって正しく測定できなかった場合でも、最低値と最低値の幅が一定幅に収まるまで測定をやり直して一定幅に収まった場合の最低の電圧値を基準オンフック電圧値として採用するようにしたため、オン／オンフック状態の検出結果に応じて行う各種所定の動作をいっそう確実に行うことが可能となる効果が得られる。
【０１１３】
請求項５に係る発明によれば、前記基準オンフック電圧値を設定後にも定期的に、前記基準オンフック電圧値の更新を行うようにしたため、前回の基準オンフック電圧値の設定時に前記回線を自装置と共有する他の通信端末装置がたまたまオフフックしていて、測定電圧値が低くなり過ぎ、オフフック時の正確な電圧値を測定できていない場合でも、今回または次回以降の測定・設定動作で自動修正されるため、オン／オンフック状態の検出結果に応じて行う各種所定の動作を更にいっそう確実に行うことが可能となる効果が得られる。
【０１１４】
請求項６に係る発明によれば、前記回線の電圧を測定して得られた電圧値を、その測定の直後に前記回線をオフフックしてみて、ダイヤルトーンが回線上にある、つまり、その直前に行った前記回線の電圧値の測定時には、前記他の通信端末装置がオンフック状態にあり、測定した電圧値は、前記回線がオンフック状態にあるときに測定されたものであるため、前記基準オンフック電圧値として設定・記憶する。一方、ダイヤルトーンが回線にない、つまり、その直前に行った前記回線の電圧値の測定時には、前記他の通信端末装置がオフフック状態（通信または通話）にあり、測定した電圧値は、前記回線がオフフック状態にあるときに測定されたものであるため、前記基準オフフック電圧値として設定・記憶する。それにより、前記回線を共有する他の通信端末装置の内部回路構成や、自装置の実際の設置状況に応じた最適な検出条件でのオン／オンフック状態の検出が可能となり、そのオン／オンフック状態の検出結果に応じて行う各種所定の動作を確実に行うことが可能となる効果が得られる。
【図面の簡単な説明】
【図１】本発明の実施の形態に係るファクシミリ装置を含む回線接続形態について示す図である。
【図２】本発明の実施の形態に係るファクシミリ装置のブロック構成について示す図である。
【図３】操作表示部の配置構成について示す図である。
【図４】網制御部の詳細構成について示す図である。
【図５】回線状態表示処理手順について示すフローチャートである。
【図６】図４の処理手順における表示例について示す図である。
【図７】自動発信処理手順について示すフローチャートである。
【図８】自動着信処理手順について示すフローチャートである。
【図９】第１実施形態に係るパラメータメモリの記憶内容について示す図である。
【図１０】地域別基準オフフック電圧値登録テーブルについて示す図である。
【図１１】オン／オンフック状態検出処理の具体的な処理手順について示すフローチャートである。
【図１２】各種設定処理手順について示すフローチャートである。
【図１３】設置地域設定処理の具体的な処理手順について示すフローチャートである。
【図１４】図１２の処理手順における表示例について示す図である。
【図１５】基準オフフック電圧設定処理の具体的な処理手順について示すフローチャートである。
【図１６】図１４の処理手順における表示例について示す図である。。
【図１７】第２実施形態に係るパラメータメモリの記憶内容について示す図である。
【図１８】オン／オンフック状態検出処理の具体的な処理手順について示すフローチャートである。
【図１９】基準オンフック電圧自動設定更新処理手順について示すフローチャートである。
【図２０】基準オンフック電圧取得処理の具体的な処理手順について示すフローチャートである。
【図２１】図１９と共に、基準オンフック電圧取得処理の具体的な処理手順について示すフローチャートである。
【図２２】第３実施形態に係るパラメータメモリの記憶内容について示す図である。
【図２３】オン／オンフック状態検出処理の具体的な処理手順について示すフローチャートである。
【図２４】基準オン／オフフック電圧設定処理手順について示すフローチャートである。
【符号の説明】
１  ファクシミリ装置
５０  他の通信端末装置
６０  公衆電話網
６１  交換機
【図１】
2004289315.tif 000003
【図２】
2004289315.tif 000004
【図３】
2004289315.tif 000005
【図４】
2004289315.tif 000006
【図５】
2004289315.tif 000007
【図６】
2004289315.tif 000008
【図７】
2004289315.tif 000009
【図８】
2004289315.tif 000010
【図９】
2004289315.tif 000011
【図１０】
2004289315.tif 000012
【図１１】
2004289315.tif 000013
【図１２】
2004289315.tif 000014
【図１３】
2004289315.tif 000015
【図１４】
2004289315.tif 000016
【図１５】
2004289315.tif 000017
【図１６】
2004289315.tif 000018
【図１７】
2004289315.tif 000019
【図１８】
2004289315.tif 000020
【図１９】
2004289315.tif 000021
【図２０】
2004289315.tif 000022
【図２１】
2004289315.tif 000023
【図２２】
2004289315.tif 000024
【図２３】
2004289315.tif 000025
【図２４】
2004289315.tif 000026